(57)【要約】 【課題】  追従性を低下させることなく、衝撃の耐性を向上させた磁界変調ヘッドの支持装置を提供する。【解決手段】  磁気ヘッド（１０）を搭載したスライダ（８）をサスペンションにより揺動自在に支持する磁界変調ヘッドの支持装置であって、前記スライダに先端側を取り付け、その後端側を支持部材に固定させて前記スライダを弾力的に支持する弾性体（板ばね２４、２６）と、この弾性体の中間部に設置されて前記弾性体を補強する第１の補強体（４４）と、この第１の補強体と前記スライダとの間の前記弾性体に設置されて前記弾性体を補強するとともに、前記スライダの端部と接触することにより前記弾性体に屈曲限界を設定する第２の補強体（５０）とを備えた構成である。【選択図】        図２
2005293700.tif 000002
【特許請求の範囲】
【請求項１】
磁気ヘッドを搭載したスライダをサスペンションにより揺動自在に支持する磁界変調ヘッドの支持装置であって、
前記スライダに先端側を取り付け、その後端側を支持部材に固定させて前記スライダを弾力的に支持する弾性体と、
この弾性体の中間部に設置されて前記弾性体を補強する第１の補強体と、
この第１の補強体と前記スライダとの間の前記弾性体に設置されて前記弾性体を補強するとともに、前記スライダの端部と接触することにより前記弾性体に屈曲限界を設定する第２の補強体と、
を備えたことを特徴とする磁界変調ヘッドの支持装置。
【請求項２】
前記弾性体に形成された窓部と、
前記第１の補強体に形成されて前記窓部から突出させて前記第２の補強体に前記弾性体の屈曲により接触可能に配置させた支持片と、
を備えることを特徴とする請求項１記載の磁界変調ヘッドの支持装置。
【請求項３】
前記弾性体の屈曲により前記第２の補強体に前記スライダの端部が接触可能に構成されたことを特徴とする請求項１記載の磁界変調ヘッドの支持装置。
【発明の詳細な説明】
【技術分野】
【０００１】
本発明は、サスペンションを用いた磁気ヘッドの支持構造に関し、光磁気記録媒体や磁気記録媒体等の記録装置に用いられる磁界変調ヘッドの支持装置に関する。
【背景技術】
【０００２】
光磁気ディスクの記録は、回転する光磁気ディスクの表面に磁気ヘッドに発生させた磁界を加え、その背面側に光ビームを照射することにより行われる。磁気ヘッドが発生する磁界を一定とすれば、光磁気ディスク表面の磁界強度は光磁気ディスク表面と磁気ヘッドとの間隔に依存することになる。そこで、磁気ヘッドを弾性的に支持、搭載して光磁気ディスク表面を摺動させる手段として支持装置が用いられている。
【０００３】
この支持装置に関する先行技術に関し、次のような特許文献が存在している。
【特許文献１】特開平９−２６５６８０号公報  この特許文献１には、製造工数の削減、簡単な構成で簡便に製造、薄形化と低コスト化を企図した磁界変調ヘッドの取付方法、装置について開示され、その構成は、可撓性導電片とほぼ平行な腕部を設け、腕部を可撓性導電片と部分的に係合させ、スライダを光磁気ディスクの一面に摺接しかつ光ピックアップに対向して配置し、光磁気ディスクに対し当接離反可能にした光磁気記録用の磁界変調ヘッドに関し、可撓性導電片、クラッチ機構等を備えて磁界変調ヘッドのスライダを光磁気ディスクに対して当接し、離反させるものである。
【発明の開示】
【発明が解決しようとする課題】
【０００４】
ところで、磁界変調ヘッドの支持装置は、磁気ヘッドを搭載したスライダを支持する形態であり、このスライダはサスペンションにより前後左右に揺動自在に支持されており、斯かる構造は板ばねで吊り下げ状態にあると言える。
【０００５】
このような板ばね（ジンバルばね）でスライダを支持した場合、記録媒体に対するスライダ、即ち、磁気ヘッドの追従性に優れる。しかしながら、記録再生装置から見ると、板ばねのみの支持では機械的強度が低く、落下や長期使用に対する耐性が低く、適当な補強が必要であるとともに、再生時にはスライダとともに磁気ヘッドをはね上げて記録媒体から離すことが必要となる。不十分な補強では、落下試験の結果、スライダ及び磁気ヘッドの重みによる過度な応力を受けて板ばねが変形し、不良となることが確認されている。そこで、再生時にスライダとともに磁気ヘッドをはね上げるためのはね上げ機構と、板ばねの補強機構とを兼用する構造も考えられてきたが、このような構造では、はね上げ機構によりスライダの追従性が損なわれ、記録媒体に対する記録品質を低下させる原因になる。
【０００６】
そこで、本発明は、追従性を低下させることなく、衝撃の耐性を向上させた磁界変調ヘッドの支持装置を提供することを目的とする。
【課題を解決するための手段】
【０００７】
上記目的を達成するため、本発明の磁界変調ヘッドの支持装置は、磁気ヘッド（１０）を搭載したスライダ（８）をサスペンションにより揺動自在に支持する磁界変調ヘッドの支持装置（２）であって、前記スライダに先端側を取り付け、その後端側を支持部材（支持フレーム４）に固定させて前記スライダを弾力的に支持する弾性体（板ばね２４、２６）と、この弾性体の中間部に設置されて前記弾性体を補強する第１の補強体（４４）と、この第１の補強体と前記スライダとの間の前記弾性体に設置されて前記弾性体を補強するとともに、前記スライダの端部と接触することにより前記弾性体に屈曲限界を設定する第２の補強体（５０）とを備えた構成である。
【０００８】
斯かる構成とすれば、支持部材とスライダとの間に介在し、支持部材にスライダとともに磁気ヘッドを揺動自在に支持させる弾性体は、第１及び第２の補強体によって補強される。第１の補強体は弾性体の中間部に設置されるので、弾性体は、中間部で第１の補強体により剛性が高められる。また、第２の補強体は、第１の補強体とスライダとの間の弾性体に設置されるので、弾性体は、スライダの近傍部分で第２の補強体により補強される。そして、第２の補強体は、強い衝撃等により、弾性体が屈曲した際、スライダの端部が第２の補強体に接触するので、これが弾性体の屈曲限界となり、弾性体を永久変形から防護することができる。
【０００９】
上記目的を達成するためには、前記弾性体に形成された窓部と、前記第１の補強体に形成されて前記窓部から突出させて前記第２の補強体に前記弾性体の屈曲により接触可能に配置させた支持片とを備えてもよい。斯かる構成とすれば、支持片と第２の補強片との接触が弾性体の屈曲限界となるので、弾性体を永久変形から防護することができ、防御強度が高められる。
【００１０】
上記目的を達成するためには、前記弾性体の屈曲により前記第２の補強体に前記スライダの端部が接触可能に構成してもよい。斯かる構成とすれば、スライダと第２の補強片との接触が弾性体の屈曲限界となるので、弾性体を永久変形から防護することができ、防御強度が高められる。
【発明の効果】
【００１１】
以上説明したように、本発明によれば、簡単な補強構造により、サスペンションを構成する板ばねが補強され、磁気ヘッドの追従性を劣化させることなく、過大な衝撃による変形から板ばねを防護することができる。
【発明を実施するための最良の形態】
【００１２】
第１の実施形態
本発明の第１の実施形態について、図１ないし図４を参照して説明する。図１は第１の実施形態に係る磁界変調ヘッドの支持装置の概要を示す斜視図、図２はサスペンションの補強構造を示す斜視図、図３は磁界変調ヘッドの使用状態を示す図、図４はサスペンションの補強形態を示す図である。
【００１３】
この磁界変調ヘッドの支持装置２には、図示しない記録再生装置に固定される支持部材として支持フレーム４にサスペンション部６を介してスライダ８が取り付けられ、このスライダ８には磁気記録媒体の記録面に接触させる磁気ヘッド１０が搭載されている。支持フレーム４は、図示しない記録再生装置のシャーシ等の支持部材に固定され、立設される支柱部１２と、この支柱部１２に取り付けられて水平方向に設置されたアーム部１４とを備えている。支柱部１２の頂部にはアーム部１４を取り付ける取付部１６が形成され、この取付部１６と支柱部１２とでＬ字形を構成している。また、支柱部１２の下端部には取付部１６と対向する側に複数の固定部１８、２０が形成され、固定部１８にはシャーシ等に固定するためのビスを貫通させる透孔２２が形成されている。支持フレーム４は例えば、合成樹脂の成形体で構成されている。
【００１４】
サスペンション部６は、スライダ８ともに磁気ヘッド１０を弾性的に支持する弾性体としてジンバルばねを構成する２枚の板ばね２４、２６を備えている。各板ばね２４、２６は磁気ヘッド１０のコイルと記録再生装置側の記録・再生部と信号の授受を行うための信号路を構成している。これら板ばね２４、２６は、その先端部にスライダ８が取り付けられ、またその後端部が支持フレーム４の支柱部１２の取付部１６とアーム部１４との間に挟み込まれて位置決めされるとともに、固定手段として例えば、固定ビス２８により固定されている。固定には固定ビス２８に代えて接着剤等を用いてもよい。
【００１５】
サスペンション部６の各板ばね２４、２６は、図２に示すように、平行に維持されて設置され、取付部１６とアーム部１４との間に挟み込まれる基端部側に固定部２４２、２６２、中間部にスライダ８とともに磁気ヘッド１０を支持する支持部２４４、２６４、先端部側にスライダ８が固定されるスライダ固定部２４６、２６６が形成されている。支持部２４４、２６４は固定部２４２、２６２から第１の屈曲部３０で下方に屈曲させて傾斜しており、スライダ固定部２４６、２６６には下端部側に第２の屈曲部３２を設けて支持部２４４、２６４を水平方向に維持させる。
【００１６】
固定部２４２、２６２には、中央部に固定ビス２８を貫通させるための円形の孔部３４、この孔部３４の周囲に位置決めのための透孔３６が形成され、後端部にはリードワイヤとの接続のためのスリット部３８、４０が形成されている。支持部２４４、２６４には、剛性を高めるためアングル部４２が形成されているとともに、サスペンション部６の板ばね２４、２６を補強する第１の補強体４４を固定するための固定孔４６、４８が形成され、また、板ばね２４、２６を補強する第２の補強体５０を固定するための固定孔５２が形成されている。更に、支持部２４４、２６４には、第１の窓部５４、第２の窓部５６、第３の窓部５８が形成されている。また、スライダ固定部２４６、２６６にはスライダ８を固定するための複数の固定孔６０が形成されている。
【００１７】
補強体４４は絶縁性合成樹脂で成形され、棒状の本体部６２と、窓部５４、５６に挿入される突部６４、６６と、板ばね２４、２６間を橋絡する第１及び第２の橋絡部６８、７０と、窓部５８側に突出する突出部７２とを備えており、橋絡部６８には各固定孔４６に挿入される突部７３、橋絡部７０には各固定孔４８に挿入される突部７４が形成されている。各突部７３、７４は固定孔４６、４８に挿入されて位置決めされ溶着や接着剤等により、板ばね２４、２６に固定される。
【００１８】
また、補強体５０は絶縁性合成樹脂で成形され、板ばね２４、２６の窓部５８の縁部に沿って設置される支持枠部７６、７８とともに、橋絡部８０を備え、この橋絡部８０には板ばね２４、２６の固定孔５２に挿入される突部８２が形成されているとともに、支持枠部７６、７８の間より窓部５８に突出する突出部８４が形成されている。各突部８２は固定孔５２に挿入されて位置決めされ、溶着や接着剤等により、板ばね２４、２６に固定される。
【００１９】
スライダ８にはスライダ固定部２４６、２６６の固定孔６０に挿入される複数の突部８６が形成され、各突部８６は固定孔６０に挿入されて溶着や接着剤等により、板ばね２４、２６の下面側に固定され、スライダ８が板ばね２４、２６の下面側に支持される。また、このスライダ８の背面側には、磁気ヘッド１０を覆って角柱状の保持体８８が設置され、また、板ばね２４、２６の窓部５８側に突出する突出部９３が形成されている。
【００２０】
斯かる構成とすれば、記録再生装置に設置され、図３に示すように、スライダ８とともに磁気ヘッド１０は、記録再生装置側に設置されて操作される昇降アーム９４の昇降により、サスペンション部６の弾力性で昇降が可能であり、矢印Ａはその昇降を示している。下降させたスライダ８は磁気記録媒体９６の記録面に設置される。スライダ８に搭載された磁気ヘッド１０は、コア部９８の周囲にコイル１００が巻回され、そのコイル端は各板ばね２４、２６に個別に接続され、各板ばね２４、２６を信号路として記録再生装置の記録再生部に接続されている。
【００２１】
そして、スライダ８は板ばね２４、２６によって弾力的に支持されているとともに、スライダ８の重量による過度な移動は、補強体４４の突出部７２、補強体５０、その突出部８４、スライダ８の突出部９３により阻止されている。即ち、図４の（Ａ）に示すように、板ばね２４、２６が矢印Ｂ方向に湾曲する場合、補強体５０の下面側に配置されている補強体４４の突出部７２がその移動を阻止するとともに、スライダ８の突出部９３が補強体５０の突出部８４に当たり補強体５０の移動を阻止する。また、補強体５０の支持枠部７６、７８は、板ばね２４、２６の屈曲を阻止する。このような相乗作用が、落下等の衝撃による板ばね２４、２６の複雑な振動による屈曲を阻止し、板ばね２４、２６に作用する応力が補強体４４、５０及びスライダ８の突出部９３に吸収され、この結果、永久変形から板ばね２４、２６を防護することができる。
【００２２】
ところで、補強体４４、５０を設置した場合、補強体４４、５０の設置部分の板ばね２４、２６の防護が図れるが、図４の（Ｂ）に示す、補強体５０の支持枠部７６、７８の先端部側で板ばね２４、２６が屈曲するおそれ（矢印Ｃ）は、スライダ８の突出部９３と補強体５０の突出部８４との係合により解消される。
【００２３】
斯かる構成によれば、追従性を損なうことなく、スライダ８とともに磁気ヘッド１０を支持することができ、落下等の衝撃による板ばね２４、２６の屈曲等の変形を防止できるとともに、追従性及び信頼性の高い磁界変調ヘッドの支持装置を実現できる。
【００２４】
第２の実施形態
本発明の第２の実施形態について、図５及び図６を参照して説明する。図５は第２の実施形態に係る磁界変調ヘッドの電気的接続を示す図、図６はそのリードワイヤの接続部を示す図である。
【００２５】
サスペンション部６の各板ばね２４、２６の固定部２４２、２６２に形成されたスリット３８、４０には、リードワイヤ１０２、１０４の被覆１０６を除去して露出させた各導体１０８が挿入され、半田１１０によって電気的に接続されている。また、固定部２４２、２６２には第４の窓部１１２が形成されており、この窓部１１２からスリット３８、４０にリードワイヤ１０２、１０４を接続する構成とすれば、リードワイヤ１０２、１０４を屈曲させて固定部２４２、２６２に配置する必要がなく、固定部２４２、２６２の形態の簡略化とともに、接続処理の簡易化を図ることができる。
【００２６】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００２７】
本発明は、ジンバルばねでスライダとともに支持される磁界変調ヘッドの追従性を損なうことなく、落下等の衝撃に対する変形等からサスペンション部を防護することができ、支持装置の信頼性向上に寄与することができ、有用である。
【図面の簡単な説明】
【００２８】
【図１】本発明の第１の実施形態に係る磁界変調ヘッドの支持装置の概要を示す斜視図である。
【図２】サスペンションの補強構造を示す斜視図である。
【図３】磁界変調ヘッドの使用状態を示す図である。
【図４】サスペンションの補強形態を示す図である。
【図５】第２の実施形態に係る磁界変調ヘッドの電気的接続を示す図である。
【図６】リードワイヤの接続部を示す図である。
【符号の説明】
【００２９】
２  磁界変調ヘッドの支持装置
６  サスペンション部
８  スライダ
１０  磁気ヘッド
２４、２６  板ばね
４４  第１の補強体
５０  第２の補強体
【図１】
2005293700.tif 000003
【図２】
2005293700.tif 000004
【図３】
2005293700.tif 000005
【図４】
2005293700.tif 000006
【図５】
2005293700.tif 000007
【図６】
2005293700.tif 000008